(57)【特許請求の範囲】
【請求項１】
携帯可能なデジタル表示装置を支持する支持部材を用い、
前記支持部材が前記デジタル表示装置を支持した状態で、前記デジタル表示装置の表示面が建物の窓ガラスに対向する向きに、係止部材により前記窓ガラスに前記支持部材を係止し、
前記デジタル表示装置が前記支持部材に支持されている状態では、前記表示面が前記窓ガラス越しに外から見え、
前記デジタル表示装置は、タブレット型コンピュータであり、
前記支持部材は、前記デジタル表示装置の四隅に係合するコーナーフックであり、前記係止部材は、前記コーナーフックに設けられた吸盤であることを特徴とするデジタルサイネージ設置方法。
【請求項２】
携帯可能なデジタル表示装置を支持する支持部材を用い、
前記支持部材が前記デジタル表示装置を支持した状態で、前記デジタル表示装置の表示面が建物の窓ガラスに対向する向きに、係止部材により前記窓ガラスに前記支持部材を係止し、
前記デジタル表示装置が前記支持部材に支持されている状態では、前記表示面が前記窓ガラス越しに外から見え、
前記デジタル表示装置は、タブレット型コンピュータであり、
前記支持部材は、前記デジタル表示装置へ吸着する第一の吸盤であり、前記係止部材は、前記第一の吸盤と背中合わせに接続した第二の吸盤であることを特徴とするデジタルサイネージ設置方法。
【発明の詳細な説明】
【技術分野】
【０００１】
本発明は、デジタルサイネージ設置方法に関する。
【背景技術】
【０００２】
近年、ｉＰａｄ（登録商標）などのタブレット携帯端末が急速に普及しており、家庭用だけではなく、そのビジネスとしての利用も進んできている（特許文献１）。お年寄りや子供にも簡単に使え、みんなで囲んで触ることができる、といった操作性や、簡単に持ち運びのできる気軽さから、今後も様々な世代や階層において更なる普及が見込まれている。
【先行技術文献】
【特許文献】
【０００３】
【特許文献１】特開２０１０−９７５２２号公報
【発明の概要】
【発明が解決しようとする課題】
【０００４】
現状のタブレット携帯端末用のアプリケーションでは、その携帯性や操作性を活かすような応用に注目が集まっている。しかしながら、そういったタブレット携帯端末の持つ利用特性だけではなく、普及に伴う価格の安さや、軽量であること、更にはタブレットとしての形状を生かした応用はあまり多くは提案されていない。
【０００５】
そこで、本発明の目的は、安価な市販のデジタル表示装置を利用して実装できる低コストのデジタルサイネージ設置方法を提供することである。
【課題を解決するための手段】
【０００６】
上記課題を解決するために、本発明のデジタルサイネージ設置方法は、携帯可能なデジタル表示装置を支持する支持部材を用い、前記支持部材が前記デジタル表示装置を支持した状態で、前記デジタル表示装置の表示面が建物の窓ガラスに対向する向きに、係止部材により前記窓ガラスに前記支持部材を係止し、前記デジタル表示装置が前記支持部材に支持されている状態では、前記表示面が前記窓ガラス越しに外から見えることを特徴とする。
【０００７】
このような構成により、安価な市販のデジタル表示装置を利用して、低コストのデジタルサイネージを実装できる。また、前記デジタル表示装置は、最近普及がめざましいタブレット型コンピュータを利用できる。更に、前記係止部材としては、一般的な吸盤を利用できる。
【０００８】
また、前記支持部材が前記デジタル表示装置を支持した状態で、前記デジタル表示装置の表示面が前記窓ガラスに対向する向きに、前記窓ガラスに前記支持部材を係止することが可能であると共に、前記窓ガラスの前記支持部材を係止している面と、前記デジタル表示装置の表示面とが同一方向となるように前記支持部材を前記窓ガラスに係止することも可能とすれば、壁掛けのデジタルフレームとすることもできる。
【０００９】
更に、前記支持部材としては、額縁形状のタブレットジャケットや、前記デジタル表示装置を上下左右で保持する十字形状の部材などがある。
【発明の効果】
【００１０】
本発明に係わるデジタルサイネージ設置方法によれば、一般的なデジタル表示装置を用いて、非常に低コストでデジタルサイネージを実装することができる。
【図面の簡単な説明】
【００１１】
【図１】図１は、本発明の実施例１に係るデジタルサイネージ設置方法で設置されるデジタルサイネージ設置器具を示す斜視図である。
【図２】図２は、本発明の実施例１に係るデジタルサイネージ設置方法で設置されるデジタルサイネージ設置器具を示す平面図である。
【図３】図３は、本発明の実施例１に係るデジタルサイネージ設置方法で設置されるデジタルサイネージ設置器具の組み立てを説明する斜視図である。
【図４】図４は、本発明の実施例１に係るデジタルサイネージ設置方法で設置されるデジタルサイネージ設置器具の別の組み立て方法を説明する斜視図である。
【図５】図５は、本発明の実施例１に係るデジタルサイネージ設置方法で設置されるデジタルサイネージ設置器具の利用シナリオの例を示す斜視図である。
【図６】図６は、本発明の実施例１に係るデジタルサイネージ設置方法で設置されるデジタルサイネージ設置器具を、窓ガラスなどに取り付ける別の手段を示す底面図である。
【図７】図７は、本発明の実施例１に係るデジタルサイネージ設置方法で設置されるデジタルサイネージ設置器具において、タブレットジャケットに内蔵された骨伝導スピーカーからの音波を窓ガラスへ伝達する構造を示すずである。
【図８】図８は、本発明の実施例１に係るデジタルサイネージ設置方法で設置されるデジタルサイネージ設置器具において、窓ガラスからの音量を改善する為の外部ホーンを示す図である。
【図９】図９は、本発明の実施例２に係るデジタルサイネージ設置方法で設置されるデジタルサイネージ設置器具を示す斜視図である。
【図１０】図１０は、本発明の実施例２に係るデジタルサイネージ設置方法で設置されるデジタルサイネージ設置器具で実装されたデジタルサイネージ示す斜視図である。
【図１１】図１１は、本発明の実施例２に係るデジタルサイネージ設置方法で設置されるデジタルサイネージ設置器具を上から見た図である。
【図１２】図１２は、本発明の実施例２に係るデジタルサイネージ設置方法で設置されるデジタルサイネージ設置器具のタブレット支持棹を説明する斜視図である。
【図１３】図１３は、本発明の実施例２に係るデジタルサイネージ設置方法で設置されるデジタルサイネージ設置器具において、壁掛けのデジタルフレームとして利用する場合の組み立て方法を説明する図である。
【図１４】図１４は、本発明の実施例２に係るデジタルサイネージ設置方法で設置されるデジタルサイネージ設置器具において、壁掛けのデジタルフレームとして組み立てられた例を示す図である。
【図１５】図１５は、本発明の実施例３に係るデジタルサイネージ設置方法で設置されるデジタルサイネージ設置器具で用いるコーナーフックを示す斜視図である。
【図１６】図１６は、本発明の実施例３に係るデジタルサイネージ設置方法で設置されるデジタルサイネージ設置器具の設置状態を示す図である。
【図１７】図１７は、本発明の実施例３に係るデジタルサイネージ設置方法で設置されるデジタルサイネージ設置器具において、壁掛けのデジタルフレームとして利用する場合の組み立て方法を説明する図である。
【図１８】図１８は、本発明の実施例４に係るデジタルサイネージ設置方法で設置されるデジタルサイネージ設置器具で用いるコーナーフックを示す斜視図である。
【図１９】図１９は、本発明の実施例４に係るデジタルサイネージ設置方法で設置されるデジタルサイネージ設置器具の設置状態をガラス面に直角に横方向から見た示す図である。
【図２０】図２０は、本発明の実施例４に係るデジタルサイネージ設置方法で設置されるデジタルサイネージ設置器具の設置状態をガラス面に平行に上から見た示す図である。
【図２１】図２１は、本発明の実施例４に係るデジタルサイネージ設置方法で設置されるデジタルサイネージ設置器具において、壁掛けのデジタルフレームとして利用する場合の組み立て方法を説明する図である。
【発明を実施するための形態】
【００１２】
以下、添付図面を参照しながら本発明の実施形態によるデジタルサイネージ設置方法で実装される設置器具を説明する。この設置器具では、ｉＰａｄ（登録商標）などの普通に市販されている一般的な携帯タブレット型コンピュータを利用する。そのようなタブレット型コンピュータとしては、ｉＰａｄの他にも、例えばＡｎｄｒｏｉｄ（登録商標）やＷｉｎｄｏｗｓ（登録商標）を搭載したタブレット端末がある。
【００１３】
また、タブレット型コンピュータ以外にも、携帯可能なデジタル表示装置であっても本発明は実施可能であることは当業者には容易に理解できる。そのような表示装置としてはデジタルフォトフレームや、ワイヤレステレビや、PC用の小型モニターなどがある。
【実施例１】
【００１４】
図１および図２を参照して、実施例１のデジタルサイネージ設置方法で設置されるデジタルサイネージ設置器具を説明する。ここで、図２は図１のデジタルサイネージ設置器具の平面図となっている。この設置器具１は、樹脂でできた額縁形状のタブレットジャケット３と、このタブレットジャケット３の四隅に設けられた吸盤４とからなっている。
【００１５】
タブレットジャケット３には、装着するタブレット型コンピュータのモニターよりも若干大きめの開口部５があり、この開口部５の内周に沿って溝７が設けられている。更に、この溝７は上方に開口して、タブレット型コンピュータを挿入する挿入口９となっている。
【００１６】
次に、実際の利用シナリオに従って、この実施例のデジタルサイネージ設置器具を説明する。ユーザーとしては、レストランのオーナーを想定する。まず、このオーナーは、デジタルサイネージとして表示したいサイネージ用画像（動画、静止画など）を編集し、自分のタブレット型コンピュータに保存しておく。このようなサイネージ用画像としては、例えば、料理や盛り付けのズームアップ動画等に料理の名前と値段のテロップを入れたものなどがある。
【００１７】
そして、図３に示したように、このタブレット型コンピュータ１０を挿入口９から挿入して、タブレットジャケット３に装着する。タブレットジャケット３には、電源プラグを接続するための開口部１１が設けられている。タブレット型コンピュータ１０のコネクタ１３に電源プラグを接続して、タブレット型コンピュータ１０を立ち上げ、サイネージ用画像を表示しておく。それから、このタブレットジャケット３を、吸盤４を使って、通りに面した窓ガラスに貼り付ける。
【００１８】
図３に示したように、タブレット型コンピュータ１０は、表示側が窓ガラスへ面するような方向に挿入されている。従って、店内からはタブレット型コンピュータ１０の背面しか見えないが、通りを歩く通行人には、ガラス越しにサイネージ用画像が表示される。なお、図４に示したように、タブレット型コンピュータ１０を、逆の向き、すなわち表示側が店内に向くように挿入することも可能である。従って、壁掛けのデジタルフレームとしての機能も同時に併せ持つことになる。
【００１９】
また、タブレットジャケット３には、タブレット型コンピュータ１０のヘッドホンジャックを外部からアクセスする為の開口部１７も設けられている。つまり、タブレットジャケット３に装着されている状態であっても、外部への音声信号の出力が可能となっている。このヘッドホンジャックへ、窓ガラスへの貼付けの可能な市販骨伝導スピーカー１９を接続すれば、通りへ向かって音声を出力することができる（図５参照）。
【００２０】
なお、上記実施例の携帯では、吸盤４はタブレットジャケット３の四隅に設けられている。しかし、タブレットジャケット３の窓ガラスへの貼り付けに関しては、その他にも様々な方法が考えられる。例えば、図６の背面図に示したように、多数の小さめの吸盤４ｓをタブレットジャケット３の背面に設けて、これらを窓ガラスへ貼りつけても良い。または、吸盤を用いずに、タブレットジャケット３の背面を平坦面とし、両面テープによって窓ガラスへ貼りつけても良い。
【００２１】
また、上記骨伝導スピーカーは、タブレットジャケット３に内蔵させることもできる。この場合、例えば図７に示したように、吸盤４ｂを介してボイスコイルの振動を窓ガラスへ伝導させる。しかし、ボイスコイルから伝導棹４ｒおよび伝導板４ｔを介して間接的に窓ガラスへ音波が伝わることになるので、音響エネルギーの減衰が考えられる。より好ましくは、骨伝導スピーカーの内蔵されているタブレットジャケット３の背面を平坦面とし、両面テープ等によって直接窓ガラスへ貼りつけるようにして減衰を少なくすると良い。
【００２２】
更に、タブレット型コンピュータ１０からの信号を増幅するためのアンプもタブレットジャケット３に内蔵させることができる。窓ガラスからの音量を大きくするには、窓ガラス２１の外側であってタブレットジャケット３内部の骨伝導スピーカー１９に対応する位置に、外部ホーン２５を貼り付けて音響インピーダンスを調整すれば良い（図８参照）。
【実施例２】
【００２３】
図９は、実施例２によるデジタルサイネージ設置方法で設置されるデジタルサイネージ設置器具を示している。この設置器具は、タブレット支持棹３１、３３と、吸盤支持棹３５，３７とからなり、弾性に富んだ樹脂でできている。そして、中央位置で互いにボルト３９によって十字形状に固定され、タブレット型コンピュータを上下左右で保持することができる。
【００２４】
タブレット支持棹３１、３３の各々の先端にはフック３１ｈ、３３ｈが設けられており、図１０に示したようにタブレット型コンピュータ１０を保持することができる。また、吸盤支持棹３５，３７の各々の先端には吸盤４が設けられており、これによって窓ガラスへの設置が可能となっている。なお、フック３１ｈ、３３ｈには、タブレット型コンピュータ１０やガラスの表面を傷つけない素材でできたシート３１ｓ、３３ｓが貼りつけられている（図１３参照）。
【００２５】
図１１は、図９のデジタルサイネージ設置器具を上から見た図である。ここで水平に伸びたタブレット支持棹３３の中央部分には、図１２に示したようなオフセット３３ｆが設けられており、ここに垂直に伸びたタブレット支持棹３１を嵌め込む。タブレット支持棹３１の中央位置には、雌ネジ孔４１が設けられており、また対応するタブレット支持棹３３のオフセット３３ｆには孔部４３が設けられている。タブレット支持棹３１がタブレット支持棹３３に嵌め込まれた状態で、孔部４３と雌ネジ孔４１は同軸に整合している。だだし、この孔部４３の内面は雌ネジにはなっていない。
【００２６】
タブレット支持棹３１には雌ネジ孔４１が設けられているが、ボルト３９が雌ネジ孔４１を貫いて突出してしまった場合、タブレット型コンピュータ１０の裏面を傷つけてしまう可能性がある。しかし、タブレット支持棹３３にオフセット３３ｆが設けられているので、ボルト３９が少々突出してしまっても、タブレット型コンピュータ１０の裏面に接触することはない。
【００２７】
タブレット支持棹３３と吸盤支持棹３５との間には、スペーサー４５が設けられている。このスペーサー４５にも、孔部４７が設けられている。やはり、孔部４７は、組立状態では、孔部４３および雌ネジ孔４１と同軸に整合している。更に、吸盤支持棹３５，３７の各々の中心部分にも孔部５１，５３が設けられている。孔部５１，５３も、組立状態で孔部４７、孔部４３および雌ネジ孔４１と同軸に整合している。だだし、孔部５１，５３も、内面は雌ネジにはなっていない。
【００２８】
従って、このデジタルサイネージ設置器具を使用するには、まずタブレット型コンピュータ１０にフック３１ｈ、３３ｈを用いてタブレット支持棹３３、３３を取り付ける。そして、図１０に示したように吸盤支持棹３５，３７を十字に組み、スペーサーを挟み、孔部５１，５３、４３および４７を貫いて、ボルト３９を雌ネジ孔４１に緊締し、図１０に示したようにデジタルサイネージ設置器具にタブレット型コンピュータ１０を固定することができる。この状態で、吸盤支持棹３５，３７の先端に設けられている吸盤４を窓ガラスの吸着すれば、タブレット支持棹３３、３３の持つ弾性力によりタブレット型コンピュータ１０をしっかりとガラス面に固定し、デジタルサイネージとして利用できる。
【００２９】
なお、上記組み立ての際に、吸盤支持棹３５，３７の方向を裏返しに取り付けることにより、この実施例でも、図１３に示したようにタブレット型コンピュータ１０の向きを逆転させることができる。この場合には、図１４に示したように、壁掛けのデジタルフレームとしての利用も可能となる。
【実施例３】
【００３０】
次に、実施例３によるデジタルサイネージ設置器具を説明する。この設置器具は、図１５に示したようなコーナーフック６１を４個用いる。このコーナーフック６１は、略Ｌ字形状をしており、底面に吸盤４が設けられている。また、底面の内側に段差部分６３が形成されており、ここでタブレット型コンピュータの支持が可能となっている。
【００３１】
設置では、タブレット型コンピュータ１０の四隅に、このコーナーフック６１の段差部分６３を合わせて、図１６に示したように、吸盤４をガラス面の表面に吸着する。この場合、最初に、下側の２つのコーナーフック６１をガラス面に取り付けておく。そして、表示側がガラス面に面するように、タブレット型コンピュータ１０を段差部分６３とガラス面の間に挿入する。その後、上側の２つのコーナーフック６１でタブレット型コンピュータ１０を抑えつけるようにして吸盤４を吸着させる。
【００３２】
図１７に示したように、この実施例３でも、タブレット型コンピュータ１０の向きを逆転させることで壁掛けのデジタルフレームとしての利用も可能となる。実施例３は、タブレット型コンピュータ１０の大きさが変わっても、対応が可能である。
【実施例４】
【００３３】
次に、実施例４によるデジタルサイネージ設置方法で設置されるデジタルサイネージ設置器具を説明する。この設置器具は、図１８に示したようなコーナーフック７１を４個用いる。このコーナーフック７１は、２つの吸盤４ｄ、４ｇを背中合わせに接続した形状のものである。吸盤４ｄはタブレット型コンピュータに吸着させるものであり、吸盤４ｇはガラス面に吸着させるものである。
【００３４】
設置では、タブレット型コンピュータ１０の表示側ベゼル部分の四隅に、コーナーフック７１の吸盤４ｄを吸着させる。そして、そのままガラス面に吸盤４ｇを用いて固定する。図１９はガラス面７３に設置した状態を、ガラス面７３に直角に横方向から見た図である。また、図２０は、ガラス面７３に平行に上から見た図である。
【００３５】
図２１に示したように、この実施例４でも、タブレット型コンピュータ１０の向きを逆転させることで壁掛けのデジタルフレームとしての利用も可能となる。実施例３と同様に、実施例４でもタブレット型コンピュータ１０の大きさが変わっても、対応が可能である。
【産業上の利用可能性】
【００３６】
以上のように、本発明によるデジタルサイネージ設置方法具によれば、市販の一般的なデジタル表示装置を用いて、非常に低コストでデジタルサイネージを実装することができる。
【００３７】
また、上記実施例のように、表示画像を予め編集し準備しておくだけではなく、ストリーム配信を行なっても良い。例えば、店内の様子をWiFiのような無線によりタブレット型コンピュータへ送信し、それを外の通行人に提示するようにすれば入店するか否かの判断材料を提供できる。また、同じ画像を、動画共有サービスによってインターネットへ配信すれば集客の手段としての効果も期待できる。
【符号の説明】
【００３８】
１    デジタルサイネージ設置器具
３    タブレットジャケット
４、４ｓ、４ｄ、４ｇ    吸盤
５    開口部
７    溝
９    挿入口
１０    タブレット型コンピュータ
１１、１７    開口部
１３    コネクタ
１９    骨伝導スピーカー
２１    窓ガラス
２５    外部ホーン
３１    タブレット支持棹
３１、３３、３５，３７    支持棹
３１、３３    タブレット支持棹
３１ｈ、３３ｈ    フック
３１ｓ、３３ｓ    シート
３３ｆ    ボルト
３５，３７    吸盤支持棹
３９    オフセット
４１    雌ネジ孔
４５    スペーサー
４３、４７、５１，５３    孔部
６１、７１    コーナーフック
６３    段差部分
７３    ガラス面
【図１】
0005922369.tif 000002
【図２】
0005922369.tif 000003
【図３】
0005922369.tif 000004
【図４】
0005922369.tif 000005
【図５】
0005922369.tif 000006
【図６】
0005922369.tif 000007
【図７】
0005922369.tif 000008
【図８】
0005922369.tif 000009
【図９】
0005922369.tif 000010
【図１０】
0005922369.tif 000011
【図１１】
0005922369.tif 000012
【図１２】
0005922369.tif 000013
【図１３】
0005922369.tif 000014
【図１４】
0005922369.tif 000015
【図１５】
0005922369.tif 000016
【図１６】
0005922369.tif 000017
【図１７】
0005922369.tif 000018
【図１８】
0005922369.tif 000019
【図１９】
0005922369.tif 000020
【図２０】
0005922369.tif 000021
【図２１】
0005922369.tif 000022